(57)【要約】    【課題】  高い汎用性を有する電源装置を提供する。    【解決手段】  電源部１３において、メインスイッチ１４がオンされ、論理回路１０２からの信号ＥＮが「ＨＩ」となると、昇圧制御回路１０９は昇圧回路１０５を起動する。そして、昇圧回路１０５により生成された電源電圧Ｖ０は、制御回路１１３および各電圧変換制御回路１１０，１１１，１１２に供給される。制御回路１１３は、入力される信号ＣＴＬ１が「ＨＩ」になると、システム制御部１０への電源電圧の投入を電源電圧Ｖ３，Ｖ２，Ｖ１の順番で行うように、各電圧変換制御回路１１０，１１１に対する動作指示およびスイッチ１１４に対する制御信号１１６の出力を行う。これにより、システム制御部１０に対して、電源電圧Ｖ３，Ｖ２，Ｖ１の順番で電源電圧が供給される。【選択図】      図２
2006311747.tif 000002
【特許請求の範囲】
【請求項１】
電池電源から入力された電源電圧を昇圧することによって第１の電源電圧を生成する昇圧手段と、
前記昇圧手段により生成された前記第１の電源電圧を対応する電源電圧へ変換し、対応する電源電圧を出力する複数の電圧変換手段と、
前記昇圧手段により生成された前記第１の電源電圧を出力するための出力動作を行うスイッチ手段と、
前記昇圧手段により生成された前記第１の電源電圧が供給されると、動作を開始し、前記スイッチ手段の出力動作と前記電圧変換手段のそれぞれの起動とを所定の順番で行うように制御する制御手段とを備えることを特徴とする電源装置。
【請求項２】
前記制御手段は、前記電圧変換手段の何れかを起動させた後、前記スイッチ手段の出力動作を開始することを特徴とする請求項１記載の電源装置。
【請求項３】
前記制御手段は、前記スイッチ手段の出力動作を制御するための制御信号として、デューティ比が可変であるパルス信号を生成することを特徴とする請求項１記載の電源装置。
【請求項４】
前記スイッチ手段の出力動作と前記電圧変換手段のそれぞれの起動とを所定の順番に従って行う際のそれぞれの間の実施間隔を設定する実施間隔設定手段を備え、
前記制御手段は、前記スイッチ手段の出力動作と前記電圧変換手段のそれぞれの起動とを前記所定の順番に従ってかつ前記設定されたそれぞれの間の実施間隔で行うように制御することを特徴とする請求項１記載の電源装置。
【請求項５】
前記電圧変換手段のそれぞれから出力される電源電圧を監視する監視手段を備え、
前記制御手段は、前記監視手段の監視結果に応じて、前記スイッチ手段の出力動作と前記電圧変換手段のそれぞれの起動とを所定の順番に従って行うように制御することを特徴とする請求項１記載の電源装置。
【請求項６】
電池電源を含む電源装置を搭載する機器であって、
前記電源装置を起動するための起動信号を発生する起動信号発生手段を有し、
前記電源装置は、
前記電池電源から入力された電源電圧を昇圧することによって第１の電源電圧を生成する昇圧手段と、
前記昇圧手段により生成された前記第１の電源電圧を対応する電源電圧へ変換し、対応する電源電圧を出力する複数の電圧変換手段と、
前記昇圧手段により生成された前記第１の電源電圧を出力するための出力動作を行うスイッチ手段と、
前記起動信号の入力に応じて前記昇圧手段を起動する起動手段と、
前記昇圧手段により生成された前記第１の電源電圧が供給されると、動作を開始し、前記スイッチ手段の出力動作と前記電圧変換手段のそれぞれの起動とを所定の順番で行うように制御する制御手段とを備えることを特徴とする機器。
【発明の詳細な説明】
【技術分野】
【０００１】
本発明は、電源装置およびその電源装置を搭載する機器に関する。
【背景技術】
【０００２】
複数の電源電圧が用いられる回路には、電源装置から、複数の電源電圧が供給される。このような回路に対しては、当該回路が正常に動作するために、電源電圧の投入の順番が規定されている場合が多い。このために、電源装置は、規定されている電源電圧の投入順番に従って、各電源電圧を供給する。
【０００３】
また、デジタルカメラは、通常、電源として乾電池を使用するが、カメラ本体の大きさを可能な限り小さくし、また本体を軽量化するために、乾電池の本数を減らす傾向がある。このために、電源からの電源電圧が低くなり、デジタルカメラの電源装置は、低電源電圧で動作可能であることが要求される。
【０００４】
ここで、従来のデジタルカメラの電源部の構成について図１３および図１４を参照しながら説明する。図１３は従来のデジタルカメラの電源部の構成を示すブロック図、図１４は図１３の電源部の動作シーケンスを示す図である。
【０００５】
従来のデジタルカメラに搭載される電源部は、図１３に示すように、電源９０１およびコントローラ９１０を備える。電源９０１は、１本または２本程度の少数の乾電池からなり、電源９０１から供給可能な電源電圧は低い。コントローラ９１０は、昇圧制御回路９０２、２つの電圧変換制御回路９０３，９０４および制御回路９０５を有する。
【０００６】
昇圧制御回路９０２は、昇圧回路９０７を制御する回路であり、電源９０１から供給される電源電圧すなわち低い電源電圧で動作可能である。昇圧制御回路９０２には、昇圧制御回路９０２の動作開始を指示するための信号ＣＴＬ１１が外部から入力される。昇圧回路９０７は、電源９０１から供給される電源電圧を昇圧して電源電圧Ｖ１を生成し、出力する。
【０００７】
電圧変換制御回路９０３は、電圧変換回路９０８を制御する回路である。電圧変換回路９０８は、電源９０１から供給される電源電圧を電源電圧Ｖ２へ変換して外部へ出力する。電圧変換制御回路９０４は、電圧変換回路９０９を制御する回路である。電圧変換回路９０９は、電源９０１から供給される電源電圧を電源電圧Ｖ３へ変換して外部へ出力する。制御回路９０５は、各電圧変換制御回路９０３，９０４に対して動作指示を与える回路である。制御回路９０５には、電圧変換制御回路９０３の動作開始を指示するための信号ＣＴＬ１２、電圧変換制御回路９０４の動作開始を指示するための信号ＣＴＬ１３が外部から入力される。各電圧変換制御回路９０３，９０４および制御回路９０５は、昇圧回路９０７から出力される電源電圧Ｖ１が供給されると、動作可能になる。
【０００８】
このように構成された電源部においては、図１４に示すように、まず、昇圧制御回路９０２に入力される信号ＣＴＬ１１が「ＨＩ」にされる。この制御信号ＣＴＬ１１により、昇圧制御回路９０２は、動作を開始し、昇圧回路９０７の動作を制御する。この昇圧制御回路９０２の制御下において、昇圧回路９０７は、電源電圧Ｖ１を生成して出力する。そして、電源電圧Ｖ１は、外部へ出力されるとともに、各電圧変換制御回路９０３，９０４および制御回路９０５に供給される。各電圧変換制御回路９０３，９０４および制御回路９０５は、電源電圧Ｖ１が供給されると、動作可能な状態になる。
【０００９】
次いで、制御回路９０５に入力される信号ＣＴＬ１２が「ＨＩ」にされる。これにより、制御回路９０５は、電圧変換制御回路９０３に対して動作開始を指示する。この動作開始指示を受けた電圧変換制御回路９０３は、電圧変換回路９０８の制御を開始する。この電圧変換制御回路９０３の制御下において、電圧変換回路９０８は、電源電圧Ｖ２を生成して出力する。
【００１０】
次いで、信号ＣＴＬ１３が「ＨＩ」にされる。これにより、制御回路９０５は、電圧変換制御回路９０４に対して動作開始を指示する。この動作開始指示を受けた電圧変換制御回路９０４は、電圧変換回路９０９の制御を開始する。この電圧変換制御回路９０４の制御下において、電圧変換回路９０９は、電源電圧Ｖ３を生成して出力する。
【特許文献１】特開平８−１８２３２２号公報
【発明の開示】
【発明が解決しようとする課題】
【００１１】
上述した電源部においては、各電圧変換制御回路９０３，９０４および制御回路９０５を動作させるために、最初に昇圧制御回路９０２と昇圧回路９０７が動作し、電源電圧Ｖ１が生成される。よって、電源部から外部へ最初に供給される電源電圧は、電源電圧Ｖ１となる。
【００１２】
しかしながら、電源電圧Ｖ１，Ｖ２，Ｖ３の各電源電圧を使用する回路において、電源電圧の投入順番として、例えば電源電圧Ｖ２またはＶ３が最初に投入されるように規定されている場合、当該回路に対する電源装置として、上述した電源部のような構成を有する電源装置を用いることはできない。すなわち、上述した電源部のような構成を有する電源装置は、その汎用性が乏しく、使用が著しく制限されることになる。
【００１３】
本発明の目的は、高い汎用性を有する電源装置およびそれを搭載する機器を提供することにある。
【課題を解決するための手段】
【００１４】
本発明は、上記目的を達成するため、電池電源から入力された電源電圧を昇圧することによって第１の電源電圧を生成する昇圧手段と、前記昇圧手段により生成された前記第１の電源電圧を対応する電源電圧へ変換し、対応する電源電圧を出力する複数の電圧変換手段と、前記昇圧手段により生成された前記第１の電源電圧を出力するための出力動作を行うスイッチ手段と、前記昇圧手段により生成された前記第１の電源電圧が供給されると、動作を開始し、前記スイッチ手段の出力動作と前記電圧変換手段のそれぞれの起動とを所定の順番で行うように制御する制御手段とを備えることを特徴とする電源装置を提供する。
【００１５】
また、本発明は、上記目的を達成するため、電池電源を含む電源装置を搭載する機器であって、前記電源装置を起動するための起動信号を発生する起動信号発生手段を有し、前記電源装置は、前記電池電源から入力された電源電圧を昇圧することによって第１の電源電圧を生成する昇圧手段と、前記昇圧手段により生成された前記第１の電源電圧を対応する電源電圧へ変換し、対応する電源電圧を出力する複数の電圧変換手段と、前記昇圧手段により生成された前記第１の電源電圧を出力するための出力動作を行うスイッチ手段と、前記起動信号の入力に応じて前記昇圧手段を起動する起動手段と、前記昇圧手段により生成された前記第１の電源電圧が供給されると、動作を開始し、前記スイッチ手段の出力動作と前記電圧変換手段のそれぞれの起動とを所定の順番で行うように制御する制御手段とを備えることを特徴とする機器を提供する。
【発明の効果】
【００１６】
本発明によれば、高い汎用性を有する電源装置およびそれを搭載する機器を提供することができる。
【００１７】
具体的には、電源装置を動作させるために生成された第１の電源電圧を含む複数の電源電圧を所定の順番で外部回路などに対して投入することが可能になり、例えば第１の電源電圧を２番目以降に投入することが可能となる。また、１つの起動信号を入力すれば、所定の順番で複数の電源電圧の立ち上げを行うことが可能である。さらに、第１の電源電圧を所定の順番に応じて投入するための構成として、スイッチ手段とその出力動作を制御する手段とを設ければよいので、構成が複雑化することはない。
【発明を実施するための最良の形態】
【００１８】
以下、本発明の実施の形態について図面を参照しながら説明する。
【００１９】
（第１の実施の形態）
図１は本発明の第１の実施の形態に係る電源装置を搭載するデジタルカメラの構成を示すブロック図、図２は図１の電源部の構成を示すブロック図である。
【００２０】
デジタルカメラは、図１に示すように、被写体の光学像を固体撮像素子３に結像させるためのレンズ１、レンズ１を通過した光量を制御するための絞り機能およびシャッタ機能を有する絞り・シャッタ２を備える。固体撮像素子３は、レンズ１で結像された被写体光を電気信号に変換して出力する。固体撮像素子３から出力される電気信号はＣＤＳ部４へ入力される。ＣＤＳ部４は、固体撮像素子３からの電気信号に対して、クロックの除去、ノイズを軽減するための相関二重サンプリングなどの処理を施し、処理後の信号を出力する。ＣＤＳ部４から出力される信号は、クランプ回路部５へ入力される。クランプ回路部５は、入力されたＣＤＳ部４からの信号を、後述のタイミングパルス発生部８から供給されるクランプパルスのタイミングで所定の基準電圧にクランプする。クランプ回路部５から出力される信号は、Ａ／Ｄ変換部６でデジタル信号に変換された後に、信号処理回路部７へ入力される。信号処理回路部７は、入力されたデジタル信号の表示や記録などを行うために、入力されたデジタル信号に対して各種の信号処理、変換処理などを施す。信号処理回路部７で処理された信号は、必要に応じて、表示部１１に表示され、また記録媒体１２へ記録される。表示部１１は、液晶表示装置などからなる。記録媒体１２は、データの記録または読み出しを行うことが可能な半導体メモリなどから構成される。
【００２１】
固体撮像素子３、ＣＤＳ部４、Ａ／Ｄ変換部６は、クランプ回路部５と同様に、タイミングパルス発生部８から供給されるパルスに基づいて動作する。また、レンズ１、絞り・シャッタ２は、光学系駆動部９により駆動される。
【００２２】
上述したＣＤＳ部４、信号処理部７、タイミングパルス発生部８、光学系駆動部９、表示部１１、記録媒体１２、後述する電源部１３などの各ブロックは、システム制御部１０により制御される。システム制御部１０は、ＣＰＵ、ＲＯＭ、ＲＡＭなどから構成される。
【００２３】
電源部１３は、メインスイッチ１４がオンされると、デジタルカメラの各ブロックに電源を供給する。電源部１３は、図２に示すように、システム制御部１０が動作するために必要な複数の電源電圧Ｖ１，Ｖ２，Ｖ３、および、撮像系回路１５が動作するために必要な電源電圧Ｖ４を供給する。ここで、システム制御部１０に対しては、まず電源電圧Ｖ３が投入され、その投入後に、電源電圧Ｖ２、電源電圧Ｖ１の順に投入が行われるように電源電圧の投入順番が規定されている。また、撮像系回路１５は、電源部１３から電源電圧Ｖ４が供給される各ブロックの総称である。
【００２４】
電源部１３は、電源１０１およびコントローラ１０４を備える。電源１０１は、１本または２本程度の少数の乾電池からなり、低い電源電圧を供給する。コントローラ１０４は、昇圧制御回路１０９、３つの電圧変換制御回路１１０，１１１，１１２および制御回路１１３を有する。
【００２５】
昇圧制御回路１０９は、昇圧回路１０５を制御するための回路であり、電源１０１から供給される電源電圧すなわち低い電源電圧で動作可能である。昇圧制御回路１０９には、昇圧制御回路１０９の動作開始を指示する信号ＥＮ（起動信号）が論理回路１０２から入力される。論理回路１０２は、システム制御部１０から出力される信号ＣＴＬ０とメインスイッチ１４から出力される電圧信号のいずれかが「ＨＩ」になると、信号ＥＮを「ＨＩ」にする。昇圧制御回路１０９は、論理回路１０２から入力された信号ＥＮが「ＨＩ」になると、昇圧回路１０５に対する制御を開始する。昇圧回路１０５は、昇圧制御回路１０９の制御下で、電源１０１から供給される電源電圧を昇圧して電源電圧Ｖ０を生成する。この生成された電源電圧Ｖ０は、各電圧変換制御回路１１０，１１１，１１２および制御回路１１３へ供給される。また、電源電圧Ｖ０は、スイッチ（ＳＷ）１１４を介して、電源電圧Ｖ１としてシステム制御部１０へ供給される。スイッチ１１４は、後述するように、制御回路１１３からの制御信号１１６により、オン、オフ動作するように制御される。
【００２６】
電圧変換制御回路１１０は、電圧変換回路１０６を制御するための回路であり、昇圧回路１０５で生成された電源電圧Ｖ０が供給されると、動作可能になる。電圧変換回路１０６は、電圧変換制御回路１１０の制御下で、電源１０１から供給される電源電圧を電源電圧Ｖ２へ変換して出力する。この電源電圧Ｖ２は、システム制御部１０へ供給される。なお、電源電圧Ｖ２は電源電圧Ｖ０よりも低い電圧である。
【００２７】
電圧変換制御回路１１１は、電圧変換回路１０７を制御するための回路であり、昇圧回路１０５で生成された電源電圧Ｖ０が供給されると、動作可能になる。電圧変換回路１０７は、電圧変換制御回路１１１の制御下で、電源１０１から供給される電源電圧を電源電圧Ｖ３へ変換して出力する。この電源電圧Ｖ３は、システム制御部１０へ供給される。なお、電源電圧Ｖ３は電源電圧Ｖ０よりも低い電圧である。
【００２８】
電圧変換制御回路１１２は、電圧変換回路１０８を制御する回路であり、昇圧回路１０５から出力される電源電圧Ｖ０が供給されると、動作可能になる。電圧変換回路１０８は、電圧変換制御回路１１２の制御下で、電源１０１から供給される電源電圧を電源電圧Ｖ４へ変換して出力する。この電源電圧Ｖ４は、撮像系回路１５へ供給される。
【００２９】
制御回路１１３は、システム制御部１０および撮像系回路１５への電源電圧の投入を所定の順番で行うように、各電圧変換制御回路１１０，１１１，１１２およびスイッチ１１４に対して動作指示を与えるための回路であり、昇圧回路１０５で生成された電源電圧Ｖ０が供給されると、動作可能になる。制御回路１１３には、各電圧変換制御回路１１０，１１１の動作開始を指示するための信号ＣＴＬ１、および電圧変換制御回路１１２の動作開始を指示するための信号ＣＴＬ２が入力される。ここで、信号ＣＴＬ１は、プルアップ抵抗１１５により電圧が電圧Ｖ０までプルアップされた信号であり、信号ＣＴＬ１が「ＨＩ」になると、制御回路１１３は、各電圧変換制御回路１１０，１１１に対して動作開始を指示する。また、制御回路１１３は、スイッチ１１４をオン動作させるための制御信号１１６を出力する。制御信号１１６により、スイッチ１１４がオン動作すると、スイッチ１１４は、昇圧回路１０５からの電源電圧Ｖ０を電源電圧Ｖ１として出力する。ここで、各電圧変換制御回路１１０，１１１に対する動作指示およびスイッチ１１４に対する制御信号１１６の出力は、上記所定の順番に従って行われる。また、信号ＣＴＬ２が「ＨＩ」になると、制御回路１１３は、電圧変換制御回路１１２に対して動作開始を指示する。
【００３０】
次に、本実施の形態のデジタルカメラの基本動作について図３および図４を参照しながら説明する。図３および図４は図１のデジタルカメラの基本動作の手順を示すフローチャートである。図３および図４のフローチャートに示す手順は、システム制御部１０により実行されるものである。
【００３１】
システム制御部１０は、図３に示すように、まず、メインスイッチ１４がオンされるのを待ち（ステップＳ３０１）、メインスイッチ１４がオンされると、電源部１３は動作を開始し、システム制御部１０および撮像系回路１５に対して電源電圧Ｖ１，Ｖ２，Ｖ３，Ｖ４を供給する。これにより、システム制御部１０は制御動作を開始し、撮像系回路１５（固体撮像素子３、タイミングパルス発生部７など）は、動作可能な状態になる。
【００３２】
次いで、システム制御部１０は、動作モードが撮影モードであるか否かを判定する（ステップＳ３０２）。ここで、動作モードが撮影モードである場合、システム制御部１０は、撮影シーケンスを開始する。そして、システム制御部１０は、光学系駆動部９を介して、レンズ１を駆動制御する（ステップＳ３０３）。ここでは、レンズ１をリセット位置まで駆動するなどの制御が行われる。
【００３３】
次いで、システム制御部１０は、光学系駆動部９を介して、絞り・シャッタ２を駆動制御する（ステップＳ３０４）。ここでは、絞り・シャッタ２が開放される。続いて、システム制御部１０は、露光制御値を求めるための第１の測光を実行する（ステップＳ３０５）。この第１の測光においては、固体撮像素子３、ＣＤＳ部４、クランプ回路部、Ａ／Ｄ変換部６を経て信号処理部７に入力されたデジタル信号に対して対応する信号処理が施され、処理後のデジタル信号はシステム制御１０に入力される。システム制御部１０は、入力されたデジタル信号から測光値を取得し、取得された測光値に基づいて露出制御値を算出する。
【００３４】
次いで、システム制御部１０は、プログラム線図を参照して、上記第１の測光により求められた露出制御値に応じた絞り値およびシャッタスピードを決定し、決定された絞り値およびシャッタスピードを絞り・シャッタ２に設定する（ステップＳ３０６）。そして、システム制御部１０は、レンズ１により捕らえられている現在の画像を表示部１１に表示する表示モードが設定されているか否かを判定する（ステップＳ３０７）。ここで、表示モードが設定されている場合、システム制御部１０は、現在の画像を表示部１１に表示するように制御し（ステップＳ３０８）、レリーズスイッチの第１のスイッチがオンされるのを待つ（ステップＳ３０９）。これに対し、表示モードが設定されていない場合、システム制御部１０は、現在の画像の表示（ステップＳ３０８）を行うことなく、レリーズスイッチの第１のスイッチがオンされるのを待つ（ステップＳ３０９）。
【００３５】
上記ステップＳ３０９において第１のスイッチがオンされたと判定されると、システム制御部１０は、第２の測光を実行する（ステップＳ３１０）。この第２の測光は、上記第１の測光と同様の手順で行われる。そして、システム制御部１０は、プログラム線図を参照して、上記第２の測光により求められた露出制御値に応じた絞り値およびシャッタスピードを決定し、決定された絞り値およびシャッタスピードを絞り・シャッタ２に設定する（ステップＳ３１１）。
【００３６】
次いで、システム制御部１０は、被写体までの距離を求めるための測距を行う（ステップＳ３１２）。この測距においては、信号処理部７により、固体撮像素子３、ＣＤＳ部４、クランプ部５、Ａ／Ｄ変換部６を経て入力されたデジタル信号から高周波成分が取り出され、この高周波成分はシステム制御部１０に入力される。システム制御部１０は、入力された高周波成分に基づいて被写体までの距離を算出する。そして、システム制御部１０は、上記測距により求められた距離に対応する位置へレンズ１を駆動し、レンズ１の焦点位置が合焦位置にあるか否かを判定する（ステップＳ３１３）。ここで、レンズ１の焦点位置が合焦位置になければ、システム制御部１０は、再びレンズ１を駆動し、測距を行う（ステップＳ３１２）。
【００３７】
レンズ１の焦点位置が合焦位置に合うと、図４に示すように、システム制御部１０は、レリーズスイッチの第２のスイッチがオンされるのを待つ（ステップＳ３１４）。上記第２のスイッチがオンされると、システム制御部１０は、本露光を行う（ステップＳ３１５）。ここでは、上記第２の測光により求められた露出制御値に応じた絞り値およびシャッタスピードで露光が行われる。露光が終了すると、固体撮像素子３、ＣＤＳ部４、クランプ部５、Ａ／Ｄ変換部６を経て信号処理部７に入力されたデジタル信号に対して対応する信号処理が施され、処理後のデジタル信号は、システム制御部１０の制御により、画像データとして記録媒体１２に記録される。
【００３８】
次いで、システム制御部１０は、上記第２のスイッチがオンされている状態にあるか否かを判定する（ステップＳ３１６）。ここで、上記第２のスイッチがオンされている状態にあれば、すなわち上記第２のスイッチが押され続けられている状態にあれば、システム制御部１０は、撮影中の画像を表示部１１に表示するように制御する（ステップＳ３１７）。この表示は、第２のスイッチがオフされるまで続けられる。そして、画像の表示中に、上記第２のスイッチがオフされると、システム制御部１０は、上記画像の表示を停止し、撮影を終了する。これに対し、上記第２のスイッチが既にオフされている状態にあれば、システム制御部１０は、上記画像の表示を行うことなく、撮影を終了する。
【００３９】
次いで、システム制御部１０は、メインスイッチ１４がオフされたか否かを判定する（ステップＳ３１８）。ここで、メインスイッチ１４がオフされていなければ、システム制御部１０は、上記ステップＳ３０３へ戻る。これに対し、メインスイッチ１４がオフされると、システム制御部１０は、レンズ１などの駆動部品を初期位置に戻すように制御し、動作を終了する。これに合わせて、電源部１３は、動作を停止する。
【００４０】
上記ステップＳ３０２において動作モードが再生モードであると判定された場合、システム制御部１０は、再生シーケンスを開始する。そして、システム制御部１０は、図４に示すように、記録媒体１２から画像データを読み出し、読み出された画像データを信号処理部７に取り込むように制御する（ステップＳ３１９）。この際、信号処理部７においては、読み出された画像データを表示するための処理が行われる。次いで、システム制御部１０は、読み出された画像データを表示部１１に表示するように制御する（ステップＳ３２０）。そして、システム制御部１０は、メインスイッチ１４がオフされたか否かを判定する（ステップＳ３１９）。ここで、メインスイッチ１４がオフされていなければ、システム制御部１０は、上記ステップＳ３１８へ戻り、画像データの表示を続行する。これに対し、メインスイッチ１４がオフされると、システム制御部１０は、画像データの表示を停止し、動作を終了する。これに合わせて、電源部１３は、動作を停止する。
【００４１】
次に、電源部１３の起動タイミングおよび起動シーケンスについて図５および図６を参照しながら説明する。図５は図２の電源部１３の起動タイミングを示す図、図６は図２の電源部１３の起動シーケンスを示すフローチャートである。ここでは、上述したように、システム制御部１０に対して、電源電圧Ｖ３、電源電圧Ｖ２、電源電圧Ｖ１の順に電源電圧が投入されるように規定されているものとする。
【００４２】
電源部１３においては、図５および図６に示すように、メインスイッチ１４がオンされると（ステップＳ５０１）、論理回路１０２からの信号ＥＮが「ＨＩ」となる。そして、昇圧制御回路１０９へ電源１０１から供給される電源電圧が動作可能電圧より高ければ（ステップＳ５０２）、昇圧制御回路１０９は、動作を開始し、昇圧回路１０５を起動させる（ステップＳ５０３）。昇圧回路１０５は、昇圧変換制御回路１０９の制御下で、電源１０１から供給される電源電圧を昇圧して電源電圧Ｖ０を生成する。そして、電源電圧Ｖ０は、制御回路１１３および各電圧変換制御回路１１０，１１１，１１２に供給され、制御回路１１３および各電圧変換制御回路１１０，１１１，１１２は、動作可能な状態となる。
【００４３】
制御回路１１３は、入力される信号ＣＴＬ１が「ＨＩ」になるのを待つ（ステップＳ５０４）。ここで、昇圧回路１０５から電源電圧Ｖ０が出力されると、信号ＣＴＬ１は、プルアップ抵抗１１５によりプルアップされているので、「ＨＩ」になる。制御回路１１３は、ＣＴＬ１信号が「ＨＩ」になると、電圧変換制御回路１１１に対して動作開始を指示する。この指示を受けた電圧変換制御回路１１１は、電圧変換回路１０７を起動する（ステップＳ５０５）。電圧変換回路１０７は、電源１０１からの電源電圧を変換して電源電圧Ｖ３を生成する。そして、生成された電源電圧Ｖ３は、システム制御部１０へ供給される。
【００４４】
同様に、ＣＴＬ１信号が「ＨＩ」になると、制御回路１１３は電圧変換制御回路１１０に対して動作開始を指示する。電圧変換制御回路１１０は、電圧変換回路１０６を起動する（ステップＳ５０６）。電圧変換回路１０６は、電源１０１からの電源電圧を変換して電源電圧Ｖ２を生成する。そして、生成された電源電圧Ｖ２は、システム制御部１０へ供給される。
【００４５】
電源電圧Ｖ２の立ち上り後、制御回路１１３は、制御信号１１６を「ＨＩ」にし、スイッチ１１４をオン動作させる（ステップＳ５０７）。これにより、電源電圧Ｖ０が電源電圧Ｖ１としてシステム制御部１０へ供給される。
【００４６】
このようにして、システム制御部１０に対して、必要な電源電圧Ｖ３，Ｖ２，Ｖ１が予め規定されている順番で供給されることになる。システム制御部１０は、必要な電源の全てが供給されると、信号ＣＴＬ０信号を「ＨＩ」にする（ステップＳ５０８）。これにより、論理回路１０２の出力は「ＨＩ」に保持される。
【００４７】
次いで、システム制御部１０は、撮像系回路１５に電源電圧Ｖ４を供給するために、信号ＣＬＴ２を「ＨＩ」にする。制御回路１１３は、信号ＣＬＴ２が「ＨＩ」になると（ステップＳ５０９）、電圧変換制御回路１１２を起動する（ステップＳ５１０）。電圧変換回路１０８は、電圧変換制御回路１１２の制御下において、電源電圧Ｖ０を変換して電源電圧Ｖ４を生成する。
【００４８】
このように、本実施の形態によれば、システム制御部１０を動作させるための電源電圧Ｖ１（Ｖ０）および複数の電源電圧Ｖ２，Ｖ３に対して、電源電圧Ｖ３、電源電圧Ｖ２を電源電圧Ｖ１より先にシステム制御部１０に供給することができる。すなわち、電源部１３の動作に必要な電源電圧としても用いられる電源電圧Ｖ１（Ｖ０）を２番目以降に投入することが可能である。また、１つの信号ＥＮ（起動信号）を入力すれば、所定の順番で複数の電源電圧の立ち上げを行うことが可能であり、電源部１３を動作させるための電源電圧Ｖ１を含む複数の電源電圧を所定の順番で立ち上げるための回路を外部に余分に設ける必要がない。さらに、電源部１３を動作させるための電源電圧Ｖ１（Ｖ０）を上記順番に応じて供給するための構成として、スイッチ１１４とそれをオン、オフ動作させるための制御信号を発生する構成を設ければよいので、構成が複雑化することはない。
【００４９】
（第２の実施の形態）
次に、本発明の第２の実施の形態について図７および図８を参照しながら説明する。図７は本発明の第２の実施の形態に係る電源装置の要部構成を示すブロック図、図８は図７の三角波生成回路６０２の出力信号、コンパレータ６０３の出力信号および電圧Ｖ１を抵抗６００と抵抗６０１で分圧した電圧６０６を示す信号波形図である。
【００５０】
本実施の形態は、上述の第１の実施の形態と異なる、スッイチ１１４に対する制御構成を有する。この制御構成以外の構成は、上記第１の実施の形態と同じ構成を有する。よって、ここでは、異なる構成部分のみについて説明する。
【００５１】
具体的には、本実施の形態の制御回路１１３においては、図７に示すように、スイッチ１１４の動作を制御するために、三角波生成回路６０２と、コンパレータ６０３とが設けられている。三角波生成回路６０２は、図８に示すような三角波信号６０６を出力する。
【００５２】
コンパレータ６０３は、三角波生成回路６０２から出力される三角波信号６０６の電圧と電圧６０５とを比較する。ここで、電圧６０５は、電源電圧Ｖ１を抵抗６００と抵抗６０１により分圧した電圧である。コンパレータ６０６においては、図８に示すように、三角波信号６０６の電圧が電圧６０５より小さくなる期間、信号１１６がオンとなる。そして、電源電圧Ｖ１が立ち上がるに従って、信号１１６のオン時間が漸次長くなり、電源電圧Ｖ１が所定電圧に達したときに、信号１１６は、常に、スイッチ１１４をオン動作させる信号となる。
【００５３】
以上より、本実施の形態によれば、電源電圧Ｖ１を出力する際に、電源電圧Ｖ１を徐々に上昇させるスロースタートが行われるので、突入電流を抑えることができる。
【００５４】
（第３の実施の形態）
次に、本発明の第３の実施の形態について図９および図１０を参照しながら説明する。図９は本発明の第３の実施の形態に係る電源装置の要部構成を示すブロック図、図１０は図９の電源装置の起動シーケンスを示すフローチャートである。
【００５５】
本実施の形態は、上述の第１の実施の形態とは異なる、各電圧変換制御回路１１０，１１１およびスイッチ１１４に対する制御構成を有する。この制御構成以外の構成は、上記第１の実施の形態と同じである。よって、ここでは、異なる構成部分のみについて説明する。
【００５６】
具体的には、本実施の形態の制御回路１１３においては、図９に示すように、タイマ７０１と、シーケンス制御部７０２とが設けられている。タイマ７０１は、所定の時間を計測するタイマである。シーケンス制御部７０２は、信号ＣＴＬ１が「ＨＩ」であるときに、各電圧変換制御回路１１０，１１１およびスイッチ１１４を制御し、電源電圧の立ち上げ制御を行う。
【００５７】
本実施の形態においては、図１０に示すように、シーケンス制御部７０２に入力されている信号ＣＴＬ１が「ＨＩ」になると（ステップＳ７０１）、シーケンス制御部７０２は、電圧変換制御回路１１１に対して動作開始を指示する（ステップＳ７０２）。この指示を受けた電圧変換制御回路１１１は、電源変換回路１０７に対する制御を開始し、電源変換回路１０７は、電源電圧Ｖ３を生成して出力する。また、シーケンス制御部７０２は、タイマ７０１に所定の時間をセットする。この所定の時間は、電源変換回路１０７が電源電圧Ｖ３の立ち上げに要する時間である。
【００５８】
次いで、シーケンス制御部７０２は、タイマ７０１がタイムアウトするまで待機し（ステップＳ７０３）、タイマ７０１がタイムアウトすると、電圧変換制御回路１１０に対して動作開始を指示する（ステップＳ７０４）。この指示を受けた電圧変換制御回路１１０は、電源変換回路１０６に対する制御を開始し、電源変換回路１０６は、電源電圧Ｖ２を生成して出力する。また、シーケンス制御部７０２は、タイマ７０１に所定の時間をセットする。この所定の時間は、電源変換回路１０６が電源電圧Ｖ２の立ち上げに要する時間である。
【００５９】
次いで、シーケンス制御部７０２は、タイマ７０１がタイムアウトするまで待機し（ステップＳ７０５）、タイマ７０１がタイムアウトすると、制御信号１１６を「ＨＩ」にし、スイッチ１１４をオン動作させる（ステップＳ７０６）。これにより、電源電圧Ｖ１が出力される。
【００６０】
以上より、本実施の形態によれば、各電源電圧Ｖ１，Ｖ２，Ｖ３をそれぞれ立ち上げるシーケンスにおいて、タイマ７０１の設定時間を変更することによって、電源電圧Ｖ３と電源電圧Ｖ２の立ち上げ間隔、および電源電圧Ｖ２と電源電圧Ｖ１の立ち上げ間隔を容易に変更することができる。
【００６１】
（第４の実施の形態）
次に、本発明の第４の実施の形態について図１１および図１２を参照しながら説明する。図１１は本発明の第４の実施の形態に係る電源装置の要部構成を示すブロック図、図１２は図１１の電源装置の起動シーケンスを示すフローチャートである。
【００６２】
本実施の形態は、上述の第１の実施の形態とは異なる、各電圧変換制御回路１１０，１１１およびスイッチ１１４に対する制御構成を有する。この制御構成以外の構成は、上記第１の実施の形態と同じである。よって、ここでは、異なる構成部分のみについて説明する。
【００６３】
具体的には、本実施の形態の制御回路１１３においては、図１１に示すように、電圧監視部８０１と、シーケンス制御部８０２とが設けられている。電圧監視部８０１は、各電源電圧Ｖ２，Ｖ３のそれぞれを入力し、各電源電圧Ｖ２，Ｖ３のそれぞれが所定電圧値に達したか否かを監視する。シーケンス制御部８０２は、信号ＣＴＬ１が「ＨＩ」であるときに、電圧変換制御回路１１０，１１１およびスイッチ１１４を制御して、電源の立ち上げ制御を行う。
【００６４】
本実施の形態においては、図１２に示すように、シーケンス制御部８０２に入力されている信号ＣＴＬ１が「ＨＩ」になると（ステップＳ８０１）、シーケンス制御部８０２は、電圧変換制御回路１１１に対して動作開始を指示する（ステップＳ８０２）。この指示を受けた電圧変換制御回路１１１は、電源変換回路１０７の制御を開始し、電源変換回路１０７は、電源電圧Ｖ３を生成して出力する。
【００６５】
次いで、シーケンス制御部８０２は、電圧監視回路８０１の電源電圧Ｖ３に対する監視結果に基づいて、電源電圧Ｖ３が所定電圧値に達するのを待つ（ステップＳ８０３）。ここで、電源電圧Ｖ３が所定電圧値に達すると、シーケンス制御部８０２は、電圧変換制御回路１１０に対して動作開始を指示する（ステップＳ８０４）。この指示を受けた電圧変換制御回路１１０は、電源変換回路１０６の制御を開始し、電源変換回路１０６は、電源電圧Ｖ２を生成して出力する。
【００６６】
次いで、電圧監視回路８０１の電源電圧Ｖ２に対する監視結果に基づいて、電源電圧Ｖ２が所定電圧値に達するのを待つ（ステップＳ８０５）。ここで、電源電圧Ｖ２が所定電圧値に達すると、シーケンス制御部８０２は、制御信号１１６を「ＨＩ」にし、スイッチ１１４をオン動作させる（ステップＳ８０６）。これにより、電源電圧Ｖ１が出力される。
【００６７】
以上より、本実施の形態によれば、電源電圧Ｖ３を所定電圧値まで確実に立ち上げた後に、電源電圧Ｖ２を立ち上げ、電源電圧Ｖ２を所定電圧値までに確実に立ち上げた後に、電源電圧Ｖ１を立ち上げることができる。その結果、各電源電圧の立ち上がり時間の違いによる立ち上がり順序が変わることを未然に防止することができる。
【００６８】
上述した各実施の形態においては、本発明の電源装置を搭載する機器としてデジタルカメラを例として説明したが、本発明の電源装置を、電池を電源とするような携帯機器などの他の機器に搭載することも可能であり、その場合も上述したと同様の効果が得られる。
【図面の簡単な説明】
【００６９】
【図１】本発明の第１の実施の形態に係る電源装置を搭載するデジタルカメラの構成を示すブロック図である。
【図２】図１の電源部の構成を示すブロック図である。
【図３】図１のデジタルカメラの基本動作の手順を示すフローチャートである。
【図４】図１のデジタルカメラの基本動作の手順を示すフローチャートである。
【図５】図２の電源部１３の起動タイミングを示す図である。
【図６】図２の電源部１３の起動シーケンスを示すフローチャートである。
【図７】本発明の第２の実施の形態に係る電源装置の要部構成を示すブロック図である。
【図８】図７の三角波生成回路６０２の出力信号、コンパレータ６０３の出力信号および電圧Ｖ１を抵抗６００と抵抗６０１で分圧した電圧６０６を示す信号波形図である。
【図９】本発明の第３の実施の形態に係る電源装置の要部構成を示すブロック図である。
【図１０】図９の電源装置の起動シーケンスを示すフローチャートである。
【図１１】本発明の第４の実施の形態に係る電源装置の要部構成を示すブロック図である。
【図１２】図１１の電源装置の起動シーケンスを示すフローチャートである。
【図１３】従来のデジタルカメラの電源部の構成を示すブロック図である。
【図１４】図１３の電源部の動作シーケンスを示す図である。
【符号の説明】
【００７０】
１０  システム制御部
１３  電源部
１４  メインスイッチ
１５  撮像系回路
１０１  電源
１０２  論理回路
１０４  コントローラ
１０５  昇圧回路
１０６，１０７，１０８  電圧変換回路
１０９  昇圧制御回路
１１０，１１１，１１２  電圧変換制御回路
１１３  制御回路
１１４  スイッチ
６００，６０１  抵抗
６０２  三角波生成回路
６０３  コンパレータ
７０１  タイマ
７０２，８０２  シーケンス制御部
８０１  電圧監視部
【図１】
2006311747.tif 000003
【図２】
2006311747.tif 000004
【図３】
2006311747.tif 000005
【図４】
2006311747.tif 000006
【図５】
2006311747.tif 000007
【図６】
2006311747.tif 000008
【図７】
2006311747.tif 000009
【図８】
2006311747.tif 000010
【図９】
2006311747.tif 000011
【図１０】
2006311747.tif 000012
【図１１】
2006311747.tif 000013
【図１２】
2006311747.tif 000014
【図１３】
2006311747.tif 000015
【図１４】
2006311747.tif 000016